(57)【要約】      （修正有）【課題】布団を収納した袋内の空気を吸引するのではなく、袋に外部から圧力をかけて、袋内の布団を圧縮する、布団圧縮収納装置を提供する。【解決手段】布団圧縮収納装置１は、機体２と、布団を収納した一端を開口してなる気密性素材からなる収納袋を載置する機体に設けた載置台３と、この載置台に対して昇降可能に設けられて布団を収納した収納袋を加圧し、圧縮するためのプレス板８を有するプレス機構と、圧縮された布団を収納した収納袋の一端開口部を加熱圧着して収納袋を密封する熱着板２６と受け板２７を有する密封機構と、機体外部から載置台上方に侵入する物体を検知して、プレス機構の動作を停止するセンサ３２を有する検知機構とを、備える。【選択図】図２
0003232240.tif 000002
【実用新案登録請求の範囲】
【請求項１】
布団を収納した一端を開口してなる気密性素材からなる収納袋を載置する載置台と、
この載置台に対して昇降可能に設けられて前記布団を収納した収納袋を加圧し、圧縮するためのプレス板を有するプレス機構と、
圧縮された前記布団を収納した収納袋の一端開口部を加熱圧着して前記収納袋を密封する密封機構とを、
備えてなる布団圧縮収納装置。
【請求項２】
機体と、この機体に設けた載置台と、前記機体に設けたプレス機構と、前記機体に近接して設けた密封機構と、前記機体に設けた検知機構を備え、
前記載置台は布団を収納した一端を開口してなる気密性素材からなる収納袋を載置するものであり、
前記プレス機構は前記載置台に対して昇降可能に設けられて前記布団を収納した収納袋を加圧し、圧縮するための流体圧を駆動源とするプレス板を有するものであり、
前記密封機構は圧縮された前記布団を収納した収納袋の一端開口部を加熱圧着して前記収納袋を密封するものであり、
前記検知機構は前記機体外部から前記載置台上方に侵入する物体を検知して、プレス機構の動作を停止するセンサを有するものである
布団圧縮収納装置。
【考案の詳細な説明】
【技術分野】
【０００１】
本考案は、袋に布団を圧縮状態で収納する布団圧縮収納装置に関する。本明細書において布団とは、寝具用の布団や毛布、及び座布団を含むものである。
【背景技術】
【０００２】
従来の袋に布団を圧縮状態で収納する装置は、気密性を有する袋に布団を収納し、袋内の空気を吸引して減圧することで、真空包装と同様な原理で布団を圧縮するものである。これによって、通常状態の布団と比べて、少ないスペースに袋に収納した状態で保管することができる。従来のこの種装置では、吸引は専用の電気吸引機を用いたり、あるいは市販の電気掃除機の吸引力を利用しているのが一般的である（例えば特許文献１）。
【先行技術文献】
【特許文献】
【０００３】
【特許文献１】特公平４−２８３１４号公報
【考案の概要】
【考案が解決しようとする課題】
【０００４】
しかしながら、従来の布団圧縮収納装置は、袋内の気密性を維持するために、吸引ノズルと袋との接触部分に、特別な密閉機構を設ける必要があり、この密閉機構の精度が悪いと、袋内に収納した布団を円滑、かつ確実に圧縮できないという不都合があった。本考案は、この不都合に鑑みて開発されたもので、布団を収納した袋内の空気を吸引するのではなく、袋に外部から圧力をかけて、袋内の布団を圧縮する、布団圧縮収納装置を提供することを目的とする。
【課題を解決するための手段】
【０００５】
この目的を達成するため、本考案の請求項１に係る布団圧縮収納装置は、布団を収納した一端を開口してなる気密性素材からなる収納袋を載置する載置台と、この載置台に対して昇降可能に設けられて前記布団を収納した収納袋を加圧し、圧縮するためのプレス板を有するプレス機構と、圧縮された前記布団を収納した収納袋の一端開口部を加熱圧着して前記収納袋を密封する密封機構とを、備えたものである。
【０００６】
この構成において、載置台上の布団を収納した収納袋を、プレス機構で加圧、圧縮し、密封機構で収納袋の一端開口部を加熱圧着することで、収納袋を密封する。これによって、布団の体積を減少した状態で収納袋に収納するものである。
【０００７】
また、上記目的を達成するため本考案の請求項２に係る布団圧縮収納装置は、機体と、この機体に設けた載置台と、前記機体に設けたプレス機構と、前記機体に近接して設けた密封機構と、前記機体に設けた検知機構を備え、前記載置台は布団を収納した一端を開口してなる気密性素材からなる収納袋を載置するものであり、前記プレス機構は前記載置台に対して昇降可能に設けられて前記布団を収納した収納袋を加圧し、圧縮するための流体圧を駆動源として昇降するプレス板を有するものであり、前記密封機構は加圧、圧縮された前記布団を収納した収納袋の一端開口部を加熱圧着して前記収納袋を密封するものであり、前記検知機構は前記機体外部から前記載置台上方に侵入する物体を検知して、プレス機構の動作を停止するセンサを備えてなるものである。
【０００８】
この構成において、載置台上の布団を収納した収納袋を、プレス機構で加圧、圧縮し、密封機構で収納袋の一端開口部を加熱圧着することで、収納袋を密封するとともに、プレス機構の動作中に、機体外から、例えば装置操作者などの頭や手が載置台上方に侵入すると、これを検知してプレス機構の動作を停止する。これによって、布団の体積を減少した状態で収納袋に収納する一方、作業中の事故を防止するものである。
【考案の効果】
【０００９】
本考案に係る布団圧縮収納装置によれば、請求項１に係る構成では、布団の体積を減少した状態で収納袋に収納できるので、布団の保管や搬送に際して場所をとらず、取り扱いも容易であることに加え、収納袋の密封作業は加圧、圧縮するもので内部空気を吸引するものではないので、特別な密閉機構の必要がなく、また、密封作業を効率よく確実にできる、という効果を奏する。
【００１０】
また、本考案の請求項２に係る構成によると、上記効果に加えて、作業中の事故を防止することで、安全性が向上する、という効果を奏する。
【図面の簡単な説明】
【００１１】
【図１】本考案に係る布団圧縮収納装置の一実施形態を示す正面図。
【図２】同じく左側面図。
【図３】同じく右側面図。
【図４】同じく布団を収納した収納袋を示す平面図。
【考案を実施するための形態】
【００１２】
以下、本考案の好適な一実施形態を添付図面に基づいて説明する。図１〜図３に示すように、布団圧縮収納装置１は、機体２を備え、この機体２の上下方向ほぼ中央部に布団４１を収納した収納袋４２（図４参照）を載置する載置台３を設けている。
【００１３】
次にプレス機構について説明する。図１〜図３に示すように、機体２の最上部には、外枠、外枠に固定した縦横枠からなる固定枠４（外枠のみ図示）を設け、この固定枠４には、空圧シリンダ５を固定している。空圧シリンダ５のシリンダロッド６の先端にはフランジ７を固定し、このフランジ７にプレス板８の押圧部を固定している。前記プレス板８は、四角状平板である押圧部の周囲に垂直な立ち上がり部を有し、この立ち上がり部は正面側と背面側よりも左右側面側を高く形成している。そして、左右側面側の立ち上がり部の各両端に連結具９を固定し、これら４個の連結具９が、載置台３と固定枠４に上下各端が固定された４本の案内軸１０に摺動可能に連結している。これによって、プレス板８は空圧シリンダ５のシリンダロッド６の突出入動作に応じて、載置台３に対する接離方向に移動、すなわち昇降動し、前記載置台３上の布団４１を収納した収納袋４２を全体的に加圧して、前記布団４１を圧縮する。
【００１４】
また、固定枠４には、シリンダロッド６の突出入動作を制御する制御回路などからなる制御部が収納された制御ボックス１１を固定している。さらに、機体２の側板には、空圧シリンダ５への空気の供給、排出をする空気流通系統１２の一部を構成する管路やバルブを取り付けている。なお、１３はプレス動作をオンオフするスイッチであり、後述する密封機構の作業台２１上に配置している。図示していないが、前記スイッチ１３は、下降オンボタンと上昇オンボタンとオフボタンとを備えている。
【００１５】
次に、密封機構について説明する。図１〜図３に示すように、機体２の正面側に、載置台３に近接して設けた作業台２１を、左右一対の脚部を有する支持枠２２上に固定している。前記作業台２１上には、左右一対の揺動アーム２３を、その各基端で同じく左右一対の支持体２４に揺動可能に軸支し、揺動動作を同じく左右一対の案内具２５で案内する。
【００１６】
揺動アーム２３の先端には、熱着板２６を固定している。前記熱着板２６の下方には、作業台２１に受け板２７を固定し、前記熱着板２６の下端面は、前記揺動アーム２３の揺動によって前記受け板２７の上端面に圧接するよう構成している。この圧接によって、加圧、圧縮された布団４１を収納した収納袋４２の一端開口部４３に沿った密封部４４を前記熱着板２６と前記受け板２７で挟持し、挟持部分を前記熱着板２６の熱で加熱圧着して前記一端開口部４３を密着し、前記収納袋４２を密封する。
【００１７】
揺動アーム２３の揺動動作は、図示していない空圧シリンダによってなされるもので、支持枠２２には、前記空圧シリンダの同じく図示していないシリンダロッドの突出入動作を制御する制御回路などからなる制御部が収納された制御ボックス２８を固定している。また、支持枠２２の脚部には、前記空圧シリンダへの空気の供給、排出をする空気流通系統２９の一部を構成する管路やバルブを取り付けている。さらに、前記空圧シリンダによる揺動アーム２３を介した熱着板２６と受け板２７との圧接動作をオンオフするフットスイッチ３０を設けている。
【００１８】
次に、検知機構について説明する。機体２の正面側上部には、赤外線センサの赤外線発信部３１と赤外線受信部３２を固定している。通常時は、前記赤外線発信部３１から発信された赤外線を前記赤外線受信部３２で受信することで、安全が確認され、プレス動作がなされる。一方、前記機体２外部から載置台３上方に機械操作者の頭や手などの物体が侵入すると、赤外線が遮られて、前記赤外線受信部３２の受信が停止する。赤外線センサがこの受信停止を検知すると、制御ボックス１１内の制御部に停止信号を送り、シリンダ５によるシリンダロッド６の動作を停止して、プレス板８の昇降動作を停止するよう構成している。
【００１９】
続いて、上述のように構成した布団圧縮収納装置１の動作を説明する。まず、図４に示すように、収納袋４２内にその一端開口部４３から布団４１を収納する。この際、布団４１が寝具用布団や毛布の場合は、適宜折り畳んだ状態、例えば三つ折りや四つ折りの状態で、収納する。そして、この状態の収納袋４２を載置台３上に、密封部４４が熱着板２６と受け板２７の間に位置するように載置する。
【００２０】
次いで、スイッチ１３の下降オンボタンを押して、空圧シリンダ５をオン動作して、シリンダロッド６を突出させ、プレス板８を下降して前記収納袋４２を全体的に加圧する。これによって、収納袋４２内の布団４１は圧縮されるとともに、前記収納袋４２内の空気も一端開口部４３から排出される。充分に圧縮されたところで、スイッチ１３のオフボタンを押して空圧シリンダ５をオフ動作し、シリンダロッド６の突出動作を停止して、前記プレス板８の下降を停止する。
【００２１】
次いで、フットスイッチ３０をオン動作し、揺動アーム２３を揺動して、熱着板２６の下端面を、受け板２７の上端面に接近する方向に移動し、加圧、圧縮された布団４１を収納した収納袋４２の密封部４４を前記熱着板２６と前記受け板２７で挟持し、挟持部分を前記熱着板２６の熱で加熱圧着して前記密封部４４を密着し、前記収納袋４２を密封する。
【００２２】
密封動作が終了したら、フットスイッチ３０をオフにし、スイッチ１３の上昇オンボタンを押して、空圧シリンダ５を再度オン動作して、シリンダロッド６を空圧シリンダ５内に突入し、プレス板８を所定位置にまで上昇した後、前記スイッチ１３のオフボタンを押すと、前記プレス板８は停止して初期位置状態に復帰する。
【００２３】
次いで、再度フットスイッチ３０をオンとし、揺動アーム２３を揺動して、熱着板２６の下端面を、受け板２７の上端面から離反する方向に移動し、収納袋４２の密封部４４に対する前記熱着板２６と前記受け板２７による挟持状態を解除し、前記熱着板２６を停止して初期位置状態に復帰する。ここで、布団４１を圧縮収納して密封した収納袋４２を載置台３から取り出して、作業は終了する。
【００２４】
なお、本考案は上述の実施形態に限定されるものではなく、例えば、スイッチ１３をオン動作することで、プレス板８による加圧圧縮と、熱着板２６による加熱圧着の一連の動作を連続して自動的に行うよう構成することもできる。また、検知機構は赤外線センサに限らず、光センサや超音波センサを利用することもできる。また、空圧シリンダ５以外の気体圧シリンダや、液体例えば油圧シリンダを利用してもよい。さらに、密封機構は揺動可能な熱着板２６と受け板２７との組み合わせに限らず、例えば昇降可能な熱着板を利用するなど、種々変更可能である。
【符号の説明】
【００２５】
１      布団圧縮収納装置
２      機体
３      載置台
４      固定枠
５      空圧シリンダ
６      シリンダロッド
７      フランジ
８      プレス板
９      連結具
１０      案内軸
１１，２８      制御ボックス
１２，２９      空気流通系統の一部
１３      スイッチ
２１      作業台
２２      支持枠
２３      揺動アーム
２４      支持体
２５      案内具
２６      熱着板
２７      受け板
３０      フットスイッチ
３１      赤外線発信部
３２      赤外線受信部
４１      布団
４２      収納袋
４３      一端開口部
４４      密封部
【図１】
0003232240.tif 000003
【図２】
0003232240.tif 000004
【図３】
0003232240.tif 000005
【図４】
0003232240.tif 000006